(57)【特許請求の範囲】
【請求項１】
内面にシーラント層を積層した包装材からなり、少なくとも左右両側辺にサイドシール部を有し、上端より内側の部位に開口端が形成された状態で使用される電子レンジ用包装袋の使用方法であって、表面側又は裏面側のいずれか一方の外面に左右のサイドシール部に跨がる突出片が突き出る状態で設けられており、前記突出片は左右のサイドシール部に跨がる中間シール部を備え、前記突出片の根元部分を基点として、前記包装袋の前記突出片より上側の部分を、前記包装袋の前記突出片より下側の部分に向かって前記突出片とは反対側に折り返した状態で電子レンジで加熱調理することを特徴とする電子レンジ用包装袋の使用方法。
【発明の詳細な説明】
【技術分野】
【０００１】
本発明は、食品を入れるための包装袋の技術分野に属し、詳しくは、食品を収納した状態で電子レンジによる加熱調理が可能な電子レンジ用包装袋に関するものである。
【背景技術】
【０００２】
従来より、カレーや中華料理などの各種レトルト食品を封入した電子レンジ用包装袋が市販されている。そして、電子レンジで加熱調理する場合、内容物に含まれる水分が沸騰して内圧が高まって袋が破裂するのを防ぐために、蒸気抜きの工夫を施した包装袋が提案されている。中でも、包装袋に背シール部を設け、その背シール部の一部を弱シール部分としておき、蒸気圧により剥離させることでそこから蒸気を逃がすようにした包装袋が数多く提案されており、一部の包装袋は実用化されている。
【先行技術文献】
【特許文献】
【０００３】
【特許文献１】特開平１１−２９１８１号公報
【特許文献２】特開２０００−２５８５０号公報
【特許文献３】特開２００１−２７０５３６号公報
【特許文献４】特開２００５−８２６０号公報
【発明の概要】
【発明が解決しようとする課題】
【０００４】
上記したような従来の電子レンジ用包装袋は、一部に弱シール部分のある背シール部を形成する必要があるため、製造コストが高くなるという問題がある。また、加熱調理後に袋の上部を切り取って開封するが、その開封部分には内容物が付着しているため、開封するときや内容物を取り出すときに手を汚しやすいという問題もある。また、加熱調理後における袋の向きによっては、背シール部に形成された蒸気通過口から内容物が漏れ出ることもある。
【０００５】
本発明は、従来の電子レンジ用包装袋が有する問題点に鑑みてなされたものであり、その目的とするところは、製造コストが低くてすみ、加熱調理時やその後の取扱い時に内容物が漏れ出るような事態を少なくでき、しかも開封するときや内容物を取り出すときに手を汚しにくい電子レンジ用包装袋についてその使用方法を提供することにある。
【課題を解決するための手段】
【０００６】
上記の目的を達成するため、本発明に係る電子レンジ用包装袋の使用方法は、内面にシーラント層を積層した包装材からなり、少なくとも左右両側辺にサイドシール部を有し、上端より内側の部位に開口端が形成された状態で使用される電子レンジ用包装袋の使用方法であって、表面側又は裏面側のいずれか一方の外面に左右のサイドシール部に跨がる突出片が突き出る状態で設けられており、前記突出片は左右のサイドシール部に跨がる中間シール部を備え、前記突出片の根元部分を基点として、前記包装袋の前記突出片より上側の部分を、前記包装袋の前記突出片より下側の部分に向かって前記突出片とは反対側に折り返した状態で電子レンジで加熱調理することを特徴とする。
【０００７】
本発明で用いる電子レンジ用包装袋は、内容物を入れて開口をシールした状態か或いは袋のみで販売される。内容物を入れた状態で販売するタイプは、使用するに際し、袋端部を切り取って開封し、必要に応じて調味料や食材を足してから、突出片の根元部分を基点として、包装袋の突出片より上側の部分を、包装袋の突出片より下側の部分に向かって突出片とは反対側に折り返した状態で電子レンジで加熱調理する。一方、袋のみで販売するタイプは、開口から調味料等とともに肉や野菜を入れ、同様に突出片の根元部分を基点として、包装袋の突出片より上側の部分を、包装袋の突出片より下側の部分に向かって突出片とは反対側に折り返した状態で電子レンジで加熱調理する。このように袋内の食品を加熱調理した後、いずれのタイプも包装袋の突出片より上側の部分を戻して袋を真っ直ぐにしてから内容物を取り出す。または、袋を容器としてそのまま使用することができる。
【０００８】
このように電子レンジで加熱調理するとき、包装袋の突出片より上側の部分は接着している訳ではないので、袋の内圧が高まる前に蒸気の通り道が形成されて蒸気を逃がすことができる。したがって、内容物が飛び出すことがなく、安全に加熱調理することができる。また、突出片に中間シール部があることにより戻り（折り返した部分が元に戻ろうとする反発）が抑制され、内圧が高まらないと蒸気の通り道が形成されず、袋の中には一定の蒸気が充満しているため、圧力を必要とする調理や蒸らして調理する用途にも好適である。
【発明の効果】
【０００９】
本発明の電子レンジ用包装袋の使用方法によれば、突出片の根元部分を基点として、包装袋の突出片より上側の部分を、包装袋の突出片より下側の部分に向かって突出片とは反対側に折り返した状態で電子レンジにかけるため、包装袋の突出片より上側の部分には内容物が付着しにくい状態となり、加熱調理した後で内容物を取り出す際に手が汚れにくい。また、包装袋の突出片より上側の部分を折り返した状態で電子レンジにより加熱するため、電子レンジの庫内で加熱中に袋が転倒しても内容物がこぼれ出ないかこぼれ出ても少なくて済む。また、袋に突出片を突き出る状態で形成するだけでよく、従来のように背シール部に弱シール部分を形成する必要がないため、簡単に製造することができ、製造コストを低く抑えることができる。
【図面の簡単な説明】
【００１０】
【図１】本発明の第１実施形態で用いる電子レンジ用包装袋の一例を示す斜視説明図である。
【図２】図１のＡ−Ａ線での断面説明図である。
【図３】図１の電子レンジ用包装袋の折返し状態を示す斜視説明図である。
【図４】図１の電子レンジ用包装袋の折返し状態を示す断面説明図である。
【図５】図１の電子レンジ用包装袋の別態様を示す斜視説明図である。
【図６】図５のＡ−Ａ線での断面説明図である。
【図７】図１の電子レンジ用包装袋の変形例を示す断面説明図である。
【図８】本発明の第２実施形態で用いる電子レンジ用包装袋の一例を示す斜視説明図である。
【図９】図８のＡ−Ａ線での断面説明図である。
【図１０】図８の電子レンジ用包装袋の折返し状態を示す斜視説明図である。
【図１１】図８の電子レンジ用包装袋の折返し状態を示す断面説明図である。
【図１２】図８の電子レンジ用包装袋の別態様を示す斜視説明図である。
【図１３】図１２のＡ−Ａ線での断面説明図である。
【図１４】図８の電子レンジ用包装袋を包装材を変えて示す断面説明図である。
【図１５】図８の電子レンジ用包装袋の変形例を示す斜視説明図である。
【図１６】図１５のＡ−Ａ線での断面説明図である。
【図１７】図１５の電子レンジ用包装袋の別態様を示す斜視説明図である。
【図１８】図１７のＡ−Ａ線での断面説明図である。
【図１９】図８の電子レンジ用包装袋の変形例を示す断面説明図である。
【図２０】図１２の電子レンジ用包装袋の変形例を示す断面説明図である。
【図２１】本発明の第３実施形態で用いる電子レンジ用包装袋の一例を示す斜視説明図である。
【図２２】図２１の電子レンジ用包装袋の別態様を示す斜視説明図である。
【図２３】本発明の第４実施形態で用いる電子レンジ用包装袋の一例を示す断面説明図である。
【図２４】図２３の電子レンジ用包装袋の折返し状態を示す断面説明図である。
【図２５】第４実施形態で用いる電子レンジ用包装袋の別の例を示す断面説明図である。
【図２６】図２５の電子レンジ用包装袋の折返し状態を示す断面説明図である。
【図２７】本発明の第５実施形態で用いる電子レンジ用包装袋の別の例を示す断面説明図である。
【図２８】図２７の電子レンジ用包装袋の折返し状態を示す断面説明図である。
【図２９】図２７の電子レンジ用包装袋の別態様を示す斜視説明図である。
【図３０】中間シール部のシールパターンの変形例を示す斜視説明図である。
【図３１】図８の電子レンジ用包装袋にスリーブを取り付けた状態を示す斜視説明図である。
【図３２】図３１の電子レンジ用包装袋の使用状態を示す斜視説明図である。
【発明を実施するための形態】
【００１１】
次に、本発明の実施形態について図面を参照しながら詳細に説明する。
【００１２】
〔第１実施形態〕
図１に示す電子レンジ用包装袋１０は平パウチの形態をしており、図２に示すように、底部で二つ折りした上下サイズが長い方の包装材１１と、上下サイズが短い方の包装材１２によって、突出片Ｐが突き出る状態で設けられている。そして、突出片Ｐには中間シール部１３が形成され、中間シール部１３は左右のサイドシール部１４に跨がるように形成されるとともに、突出片Ｐの根元部分まで形成されている。さらに、中間シール部１３は左右両側辺のサイドシール部１４と直交するように形成されている。そして、左右のサイドシール部１４には、突出片Ｐより上方の対応する位置にそれぞれ開封用ノッチ１５が形成されている。
【００１３】
この電子レンジ用包装袋１０の製袋機による製造手順は例えば次のようである。製袋機にて一枚の包装材を搬送しながら、まず、左右の端部を向かい合わせるように搬送し、底部の折りと中間シール部１３の形成を同時に行う。次に、左右のシールを行ってサイドシール部１４を形成した後、開封用ノッチ１５を打ち抜き、続く工程で上辺を切り落として充填口を形成する。最後に、ギロチン刃にてサイドシール部１４のところで１袋ずつ分離するようにカットする。これにより図１に示す電子レンジ用包装袋１０が製造される。なお、この例では底シールを形成していないが、必要に応じて底シールを形成するようにしてもよい。
【００１４】
図１に示す電子レンジ用包装袋１０は、複数枚纏められた状態で充填工程に送られてそこで内容物が充填される。具体的には、上辺の開口から内容物を充填し、その開口を閉じるように図１の点線で示す部位をヒートシールして上辺シール部１６を形成する。このような充填工程を経ることで、電子レンジ用包装袋１０は、左右両側辺のサイドシール部１４に加え、上辺シール部１６を有したものとなり、開封用ノッチ１５を取っ掛かりにして包装材を破断することにより、上辺シール部１６より内側の部位に開口端を形成して開封することができる。そして、表面側又は裏面側のいずれか一方の外面に開口端となる部位よりさらに内側の位置で左右のサイドシール部１４に跨がる突出片Ｐが突き出る状態で設けられたものとなる。
【００１５】
このように内容物が充填された電子レンジ用包装袋１０は、そのまま或いは別の袋や紙箱に入れて販売される。そして、開封用ノッチ１５から袋端部を切り取って開封し、例えば内容物がレトルト食品の場合は、図３及び図４に示すように、突出片Ｐの根元部分を基点として、包装袋の突出片Ｐより上側の部分を、包装袋の突出片Ｐより下側の部分に向かって突出片Ｐとは反対側に折り返すと、包装袋の突出片Ｐより上側の部分は突出片Ｐがあることによって戻り（折り返した部分が元に戻ろうとする反発）が抑制されることになり、その折返し状態で電子レンジにかけて加熱調理することができる。また、内容物が味付け調味料の場合は、開封後に野菜や肉などの食材を入れてから、図３及び図４に示すように、突出片Ｐの根元部分を基点として、包装袋の突出片Ｐより上側の部分を、包装袋の突出片Ｐより下側の部分に向かって突出片Ｐとは反対側に折り返した状態とし、同様に加熱調理することができる。
【００１６】
このように袋内の食品を加熱調理した後、包装袋の突出片Ｐより上側の部分を戻して袋を真っ直ぐにしてから内容物を取り出す。または、袋を容器としてそのまま使用することもできる。この加熱調理時において、袋の内圧が高まる前に包装袋の突出片Ｐより上側の部分に蒸気の通り道が形成され、その隙間を通って蒸気を逃がすことができる。したがって、内容物が飛び出すことがなく、安全に加熱調理することができる。また、内圧が高まらないと蒸気の通り道が形成されず、袋の中には一定の蒸気が充満しているため、圧力を必要とする調理や蒸らして調理する用途にも好適である。
【００１７】
図１に示す電子レンジ用包装袋１０の別態様を図５及び図６に示す。図５及び図６は図１及び図２にそれぞれ対応したものであり、この電子レンジ用包装袋１０は、開口した状態のまま袋のみで販売されるタイプで、袋上部に開封ノッチ１５のような易開封手段を備えていない。
【００１８】
この電子レンジ用包装袋１０を使用するに際しては、上部開口から調味料等とともに肉や野菜を入れ、図３及び図４に示すのと同様に、突出片Ｐの根元部分を基点として、包装袋の突出片Ｐより上側の部分を、包装袋の突出片Ｐより下側の部分に向かって突出片Ｐとは反対側に折り返すと、包装袋の突出片Ｐより上側の部分は突出片Ｐがあることによって戻り（折り返した部分が元に戻ろうとする反発）が抑制されることになり、その折返し状態で電子レンジにかけて加熱調理することができる。
【００１９】
このように袋内の食品を加熱調理した後、包装袋の突出片Ｐより上側の部分を戻し袋を真っ直ぐにして内容物を取り出す。または、袋を容器としてそのまま使用することができる。この加熱調理時においても、包装袋の突出片Ｐより上側の部分は接着している訳ではないので、袋の内圧が高まる前に蒸気の通り道が形成されて蒸気を逃がすことができる。したがって、内容物が飛び出すことがなく、安全に加熱調理することができる。また、内圧が高まらないと蒸気の通り道が形成されず、袋の中には一定の蒸気が充満しているため、圧力を必要とする調理や蒸らして調理する用途にも好適である。
【００２０】
図１に示す電子レンジ用包装袋１０の変形例を図７に示す。図７は図２に対応したものであり、この図７に示す電子レンジ用包装袋１０は、平パウチに突出片Ｐを後付けしたものである。すなわち、上下に長い包装材１１Ａをシーラント層を内側として二つ折り状態で対向させた後、左右両側辺のサイドシール部で直線状に貼り合わせ、その左右のサイドシール部にそれぞれ開封用ノッチを形成した後、表面側又は裏面側のいずれか一方の外面に開封用ノッチより内側の位置で左右のサイドシール部に跨がる突出片Ｐを突き出る状態で貼り付けている。この突出片Ｐは矩形状の包装材からなり、Ｔ字型に折り曲げて対向している部分をホットメルトで貼り合わせることにより中間シール部１３Ａを形成した後、電子レンジ用包装袋１０にホットメルトにて取り付ける。ホットメルトに限らず接着剤やヒートシールで取り付けてもよい。また、この例では、左右のサイドシール部に跨がるように突出片Ｐを後付けしているが、サイドシール部より内側に取り付けるようにしてもよい。このような突出片Ｐは、上部シール部のない状態で販売されるタイプの電子レンジ用包装袋についても同様に適用できることは言うまでもない。
【００２１】
〔第２実施形態〕
図８に示す電子レンジ用包装袋２０はスタンディングパウチの形態をしており、図９に示すように、底部でＷ折りした上下サイズが長い方の包装材２１と、上下サイズが短い方の包装材２２によって、突出片Ｐが突き出る状態で設けられている。そして、突出片Ｐには中間シール部２３が形成され、中間シール部２３は左右のサイドシール部２４に跨がるように形成されるとともに、突出片Ｐの根元部分まで形成されている。さらに、中間シール部２３は左右両側辺のサイドシール部２４と直交するように形成されている。そして、左右のサイドシール部２４には、突出片Ｐより上方の対応する位置にそれぞれ開封用ノッチ２５が形成されている。
【００２２】
この電子レンジ用包装袋２０の製袋機による製造手順は例えば次のようである。製袋機にて一枚の包装材を搬送しながら、まず、スタンディングパウチの底部両端を表裏で貼り合わせるのに必要な底孔を形成するためのパンチ孔加工を行う。次に、左右の端部を向かい合わせるように搬送し、底部の折りと中間シール部２３の形成を同時に行う。次に、放物線状の底シールと直線状のサイドシールを行って底シール部２６とサイドシール部２４を形成した後、続く工程で開封用ノッチ２５を打ち抜き、上辺を切り落として充填口を形成する。最後に、ギロチン刃にてサイドシール部２４のところで１袋ずつ分離するようにカットする。これにより図８に示す電子レンジ用包装袋２０が製造される。
【００２３】
図８に示す電子レンジ用包装袋２０は、複数枚纏められた状態で充填工程に送られてそこで内容物が充填される。具体的には、上辺の開口から内容物を充填し、その開口を閉じるように図８の点線で示す部位をヒートシールして上辺シール部２７を形成する。このような充填工程を経ることで、電子レンジ用包装袋２０は、左右両側辺のサイドシール部２４と底シール部２６に加え、上辺シール部２７を有したものとなり、開封用ノッチ２５を取っ掛かりにして包装材を破断することにより、上辺シール部２７より内側の部位に開口端を形成して開封することができる。そして、表面側又は裏面側のいずれか一方の外面に開口端となる部位よりさらに内側の位置で左右のサイドシール部２４に跨がる突出片Ｐが突き出る状態で設けられたものとなる。
【００２４】
このように内容物が充填された電子レンジ用包装袋２０は、そのまま或いは別の袋や紙箱に入れて販売される。そして、開封用ノッチ２５から袋端部を切り取って開封し、必要に応じて調味料や食材を足してから、図１０及び図１１に示すように、突出片Ｐの根元部分を基点として、包装袋の突出片Ｐより上側の部分を、包装袋の突出片Ｐより下側の部分に向かって突出片Ｐとは反対側に折り返すと、包装袋の突出片Ｐより上側の部分は突出片Ｐがあることによって戻り（折り返した部分が元に戻ろうとする反発）が抑制されることになり、その折返し状態で電子レンジにかけて加熱調理することができる。また、内容物が精米したお米の場合は、開封後に所定量の水を入れてから、図１０及び図１１に示すように、突出片Ｐの根元部分を基点として、包装袋の突出片Ｐより上側の部分を、包装袋の突出片Ｐより下側の部分に向かって突出片とは反対側に折り返した状態とし、自立させた状態で電子レンジにかけてご飯を炊くことができる。
【００２５】
このように袋内の食品を加熱調理した後、包装袋の突出片Ｐより上側の部分を戻して袋を真っ直ぐにしてから内容物を取り出す。または、袋を容器としてそのまま使用することもできる。この加熱調理時においても、袋の内圧が高まる前に包装袋の突出片Ｐより上側の部分に蒸気の通り道が形成され、その隙間を通って蒸気を逃がすことができる。したがって、内容物が飛び出すことがなく、安全に加熱調理することができる。また、内圧が高まらないと蒸気の通り道が形成されず、袋の中には一定の蒸気が充満しているため、圧力を必要とする調理や蒸らして調理する用途にも好適である。この電子レンジ用包装袋２０は、袋の形態がスタンディングパウチであるので、電子レンジの庫内では立てた状態で加熱調理できるし、また容器としてそのまま使用するときも立てた状態にできる。
【００２６】
図８に示す電子レンジ用包装袋２０の別態様を図１２及び図１３に示す。図１２及び図１３は図８及び図９にそれぞれ対応したものであり、この電子レンジ用包装袋２０は、開口した状態のまま袋のみで販売されるタイプで、袋上部に開封ノッチ２５のような開封手段を備えていない。
【００２７】
この電子レンジ用包装袋２０を使用するに際しては、上部開口から調味料等とともに肉や野菜を入れ、図１０及び図１１に示したのと同様に、突出片Ｐの根元部分を基点として、包装袋の突出片Ｐより上側の部分を、包装袋の突出片Ｐより下側の部分に向かって突出片Ｐとは反対側に折り返した状態とし、その折返し状態で電子レンジにかけて加熱調理することができる。このように袋内の食品を加熱調理した後、包装袋の突出片Ｐより上側の部分を戻し袋を真っ直ぐにして内容物を取り出す。または、袋を容器としてそのまま使用することができる。この加熱調理時においても、包装袋の突出片Ｐより上側の部分は接着している訳ではないので、袋の内圧が高まる前に蒸気の通り道が形成されて蒸気を逃がすことができる。したがって、内容物が飛び出すことがなく、安全に加熱調理することができる。また、内圧が高まらないと蒸気の通り道が形成されず、袋の中には一定の蒸気が充満しているため、圧力を必要とする調理や蒸らして調理する用途にも好適である。
【００２８】
図８に示す電子レンジ用包装袋２０は、２枚の包装材２１，２２からなる構造としたが、図１４に示すような４枚の包装材からなる構造としてもよい。すなわち、表裏の一方側が上下サイズの長い包装材２１Ａからなるとともに、表裏の他方側が上下サイズの短い２つの包装材２１Ｂ，２２からなっており、他方側の２つの包装材２１Ｂ，２２によって、突出片Ｐが突き出る状態で設けられ、一方側の包装材２１Ａと相対している。そして、突出片Ｐには中間シール部２３が形成され、中間シール部２３は左右のサイドシール部２４に跨がるように形成されるとともに、突出片Ｐの根元部分まで形成されている。そして、相対する表裏の包装材（包装材２１Ａと包装材２１Ｂ，２２）の間に、断面が逆Ｖ字形をした包装材２１Ｃを介在させて、底シール部２６で放射線状に貼り合わせ、かつ左右両側辺のサイドシール部２４で直線状に貼り合わせた構造としてもよい。なお、この４枚の包装材からなる構造にしてもよいことは、図１２に示す電子レンジ用包装袋２０についても同様である。
【００２９】
図８に示す電子レンジ用包装袋２０の変形例を図１５及び図１６に示す。図１５及び図１６は図８及び図９にそれぞれ対応したものであり、この電子レンジ用包装袋２０は、スタンディングパウチの形態をしている点では同じであるが、底部がシールされるのではなくＷ折りされた点が異なる。この電子レンジ用包装袋２０は、底部でＷ折りした長い方の包装材２１と、下端が折り返された短い方の包装材２２によって突出片Ｐが突き出る状態で設けられている。そして、突出片Ｐには中間シール部２３が形成され、中間シール部２３は左右のサイドシール部２４に跨がるように形成されるとともに、突出片Ｐの根元部分まで形成されている。この電子レンジ用包装袋２０は内容物を充填すると底部が膨らむので、図８及び図９に示す電子レンジ用包装袋２０よりも内容量が多くなる。この底部がＷ折りされたスタンディングパウチを製造するに際しては、底シールを行う工程に代えて、プレートを挿入して底折込部を形成すればよい。
【００３０】
図１５に示す電子レンジ用包装袋２０の別態様を図１７及び図１８に示す。図１７及び図１８は図１５及び図１６にそれぞれ対応したものであり、この電子レンジ用包装袋２０は、開口した状態のまま袋のみで販売されるタイプで、袋上部に開封ノッチ２５のような開封手段を備えていない。そして、この電子レンジ用包装袋２０の使用方法は、図１２及び図１３の電子レンジ用包装袋２０の場合と同様である。
【００３１】
図８に示す電子レンジ用包装袋２０の変形例を図１９に示す。図１９は図９に対応したものであり、この電子レンジ用包装袋２０は、スタンディングパウチに図７で説明したのと同様な突出片Ｐを後付けしたものである。このような突出片Ｐは、図１２や図１７に示す袋のみで販売されるタイプの電子レンジ用包装袋２０についても同様に適用できることは言うまでもない。
【００３２】
図１２に示す電子レンジ用包装袋２０の変形例を図２０に示す。この電子レンジ用包装袋２０は、左右のサイドシール部２４に対し、突出片Ｐより下方の対応する位置にそれぞれ分断手段としてノッチ２８を設けたものである。この電子レンジ用包装袋２０は、加熱調理した後の袋をノッチ２８のところで分断することにより、袋の下側の部分を容器として使用することができるものであり、図１２に示すスタンディングパウチを始めとして自立性のある包装袋に設けるのが効果的である。なお、分断手段は、ノッチ２８に限るものではなく、基材にハーフカット線を設けた包装材を用いてもよいし、幅方向に延伸したフィルムを積層した包装材をを用いてもよい。
【００３３】
〔第３実施形態〕
図２１に示す電子レンジ用包装袋３０は、底部及び両側部にひだを有するガゼット袋の形態をしている。具体的には、表裏の一方側が上下サイズの長い包装材３１からなり、表裏の他方側が上下サイズの短い２つの包装材３２Ａ，３２Ｂによって、突出片Ｐが突き出る状態で設けられている。そして、突出片Ｐには中間シール部３３が形成され、中間シール部３３は左右のサイドシール部３４に跨がるように形成されるとともに、突出片Ｐの根元部分まで形成されている。さらに、他方側の包装材３２Ａ，３２Ｂが一方側の包装材３１と相対し、その相対する表裏の包装材（包装材３１と包装材３２Ａ，３２Ｂ）の間に、断面が逆Ｖ字状をした３つの包装材、すなわち底部に包装材３４と両側部にそれぞれ包装材３５を介在させて、底部の包装材３４を底辺に添った底シール部３６で直線状に貼り合わせるとともに、両側部の包装材３５をそれぞれ左右両側辺のサイドシール部３７で直線状に貼り合わせ、さらに、底部の包装材３４の左右端縁と側部の包装材３５の下端縁を貼り合わせて、側部の包装材３５の下部を底部の包装材３４の折りに合わせて折り込んだ構造をしており、中間シール部３３は左右両側辺のサイドシール部３７と直交するように形成されている。
【００３４】
このタイプの電子レンジ用包装袋３０は、上辺の開口から内容物を充填し、その開口を閉じるように図２１の点線で示す部位をヒートシールして上辺シール部３８を形成する。このような充填工程を経ることで、電子レンジ用包装袋３０は、左右両側辺のサイドシール部３７と底シール部３６に加え、上辺シール部３８を有したものとなり、はさみで上辺シール部３８を切り取ることにより、上辺シール部３８より内側の部位に左右のサイドシール部３７に跨がる開口端を形成して開封することができる。そして、表面側又は裏面側のいずれか一方の外面に開口端となる部位よりさらに内側の位置で左右のサイドシール部３７に跨がる突出片Ｐが突き出る状態で設けられたものとなる。
【００３５】
このように内容物が充填された電子レンジ用包装袋３０は、そのまま或いは別の袋や紙箱に入れて販売される。そして、はさみで上辺シール部３８を切り取って開封し、必要に応じて調味料や食材を足してから、開口端より内側にある突出片Ｐの根元部分を基点として、包装袋の突出片Ｐより上側の部分を、包装袋の突出片Ｐより下側の部分に向かって突出片Ｐとは反対側に折り返すと、その折返し状態が維持されるので、そのまま電子レンジにかけて加熱調理することができる。
【００３６】
このように袋内の食品を加熱調理した後、包装袋の突出片Ｐより上側の部分を戻して袋を真っ直ぐにしてから内容物を取り出す。または、袋を容器としてそのまま使用することもできる。この加熱調理時においても、袋の内圧が高まる前に包装袋の突出片Ｐより上側の部分に蒸気の通り道が形成され、その隙間を通って蒸気を逃がすことができる。したがって、内容物が飛び出すことがなく、安全に加熱調理することができる。また、内圧が高まらないと蒸気の通り道が形成されず、袋の中には一定の蒸気が充満しているため、圧力を必要とする調理や蒸らして調理する用途にも好適である。この電子レンジ用包装袋３０は、袋の形態がガセット袋であるので、電子レンジの庫内では立てた状態で加熱調理できるし、また容器としてそのまま使用するときも立てた状態にできる。
【００３７】
図２１に示す電子レンジ用包装袋３０の別態様を図２２に示す。この電子レンジ用包装袋３０は、開口した状態のまま袋のみで販売されるタイプである。そして、この電子レンジ用包装袋３０の使用方法は、図１２及び図１３に示す電子レンジ用包装袋２０の場合と同様である。このように、底部と両側部にひだ（ガセット）のある形態とした場合は、開口を長方形或いは正方形として大きく広げることができるので、内容物を充填しやすい、或いは内容物を取り出しやすいという利点がある。
【００３８】
〔第４実施形態〕
次に、本発明の第４実施形態について図１及び図２に示す電子レンジ用包装袋１０をベースにして説明する。
【００３９】
図２３は図２に対応し、図２４は図４に対応しており、この図２３に示す電子レンジ用包装袋１０は、包装材１１の突出片Ｐと対応する位置に、外側から内側に向かって凹む内向き状態の押し罫ａを設けたものである。この押し罫ａは金型、ローラ等の型を使用し、包装材１１に対してエンボス加工を施すことで形成することができる。
【００４０】
このように、押し罫ａを設けたことにより、内容物を充填した電子レンジ用包装袋１０は、開封してから必要に応じて調味料や食材を足してから、図２４のように突出片Ｐの根元部分を基点として、包装袋の突出片Ｐより上側の部分を、包装袋の突出片Ｐより下側の部分に向かって突出片Ｐとは反対側に折り返すと、包装袋の突出片Ｐより上側の部分は突出片Ｐがあることで戻り（折り返した部分が元に戻ろうとする反発）が抑制されるのに加え、押し罫ａの作用により折り返した状態を保持しやすくなる。
【００４１】
図２５は図２に対応し、図２６は図４に対応しており、この図２５に示す電子レンジ用包装袋１０は、包装材１１の突出片Ｐと対応する位置に、外側から内側に向かって凹む内向き状態の押し罫ａを設け、さらに、突出片Ｐのある側の包装材１２にも押し罫ｂを設けたものである。この押し罫ｂは、内側から外側に向かって凹む外向き状態で、突出片Ｐの付け根に沿うようにして設けられている。このように、包装材１２にも押し罫ｂを設けると、折り返した状態をより一層保持しやすくなる。また、突出片Ｐの付け根に沿う押し罫ｂのみを設けた場合であっても、押し罫を全く設けない場合に比べると、折返し状態を保持しやすくなる。
【００４２】
このような折返し状態を保持させるための押し罫ａ，ｂは、蒸らして調理したい場合に特に有効である。また、突出片にこのような押し罫ａ，ｂを形成することは、図１及び図２に示す電子レンジ用包装袋１０に限らず、上記した他の電子レンジ用包装袋についても同様に適用することができる。
【００４３】
〔第５実施形態〕
次に、本発明の第５実施形態について図８及び図９に示す電子レンジ用包装袋２０をベースにして説明する。
【００４４】
図２７は図８に対応しており、この図２７に示す電子レンジ用包装袋２０は、中間シール部２３を真っ直ぐな帯状ではなく、図示のような変形パターンとしたものである。すなわち、根元までシールされた中央部から両側辺に向かって徐々に幅が狭くなるような緩やかな湾曲形状で中間シール部２３を形成し、左右両側のサイドシール部２４とは小さな幅で重なるようにしている。これにより、中間シール部２３と左右両側のサイドシール部２４とが交わるところに、内部と繋がった三角状の未シール部分２３ｎが形成された状態になっている。
【００４５】
この電子レンジ用包装袋２０は、開封用ノッチ２５から袋端部を切り取って開封し、必要に応じて調味料や食材を足してから、図２８に示すように、突出片Ｐの根元部分を基点として、包装袋の突出片Ｐより上側の部分を、包装袋の突出片Ｐより下側の部分に向かって突出片Ｐとは反対側に折り返すと、包装袋の突出片Ｐより上側の部分は突出片Ｐがあることによって戻り（折り返した部分が元に戻ろうとする反発）が抑制されることになり、その折返し状態で電子レンジにかけて加熱調理することができる。そして、中間シール部２３を図示のような変形パターンにしているので、包装袋の突出片Ｐより上側の部分に蒸気の通り道が形成される。また、図２８に矢印で示す如く、中間シール部２３とサイドシール部２４の交点付近を摘んで、折り返した部分と逆の方に（図２８の手前側から奥側に向かって）押すと、包装材が突っ張って突出片Ｐのない側に僅かに反り、中間シール部２３と左右両側のサイドシール部２４とが交わる角部にてロックが掛かったような状態となり、折り返した部分の反発（浮き上がり）が抑えられ、転倒時に内容物が漏れ出るのが防止される。
【００４６】
図２７に示す電子レンジ用包装袋２０の別態様を図２９に示す。この電子レンジ用包装袋２０は、開口した状態のままで販売されるタイプである。そして、この電子レンジ用包装袋３０の使用方法は、上部開口から調味料等とともに肉や野菜を入れる以外は、図２７に示す電子レンジ用包装袋３０の場合と同様である。
【００４７】
〔他の実施形態〕
以上、本発明を実施するための形態について詳細に説明してきたが、本発明で用いる電子レンジ用包装袋は、上記の実施形態に何ら限定されるものではなく、本発明の趣旨を逸脱しない範囲において種々の変更が可能であることは当然のことである。
【００４８】
例えば、中間シール部の根元部分を基点として単に折り返すだけの第１〜第４実施形態の電子レンジ用包装袋では、左右のサイドシール部に跨がる中間シール部について、重なる包装材を根元までシールすることで形成しているが、図３０に例示するようなシールパターンで形成してもよい。
【００４９】
図３０は図１に示す電子レンジ用包装袋１０をベースにして、中間シール部１３についてそのシールパターンの変形例を示したものであり、（ａ）は左右のサイドシール部１４に跨がって根元部分だけを細くシールしたパターン、（ｂ）は左右のサイドシール部１４に跨がってシールしてはいるが、中央付近のみを根元までシールし、その両側は根元部分を空けてシールしたパターン、（ｃ）は左右のサイドシール部１４に跨がってシールしてはいるが、中央付近の根元部分のみを空け、その両側を根元までシールしたパターンである。このように突出片Ｐの少なくとも根元部分の一部がシールされていさえすれば、袋を折り返したときに突出片Ｐがあることにより戻りが抑制される。そして、シールのないところが蒸気の通り道となるので、突出片Ｐのシールパターンは加熱調理する内容物に応じて適宜設計するとよい。
【００５０】
また、加熱調理後に容器として使用するため、図３１及び図３２に示すように袋の胴部に断熱用のスリーブＳを取り付けてもよい。
【００５１】
図３１及び図３２は図８に示す電子レンジ用包装袋２０に断熱用のスリーブＳを取り付けた電子レンジ用包装袋２０を示している。この電子レンジ用包装袋２０は、板紙を始めとして保形性のある帯状のシートを用い、そのシートの両端の重なり部分を貼り合わせてリング状とし、それを袋の胴部にセットして例えば図示の接着部ｆにてホットメルト、接着剤、ヒートシール等により取り付けたものである。
【００５２】
このように、袋の胴部にスリーブＳを巻いておくことにより、スリーブＳが保形作用を発揮するので、電子レンジによる加熱調理後にそのまま容器として使用することができる。また、シートとして板紙を使用した場合は、スリーブＳが断熱作用を発揮するので手で保持しやすい。
【００５３】
〔包装材〕
本発明で用いる電子レンジ用包装袋に用いる包装材としては、主にプラスチックを主体とする積層フィルムが用いられ、簡単な構成では、基材フィルム層にシーラント層を積層した構成の積層フィルムが用いられるが、袋に充填される内容物や、充填後の取扱い条件、或いは、水蒸気その他のガスバリヤー性、遮光性、各種の機械的強度など必要とされる性能に応じて、基材フィルム層とシーラント層との間などに、例えば、中間層として、水蒸気その他のガスバリヤー層、遮光層、強度向上層などを積層した構成の積層フィルムを使用する。
【００５４】
上記基材フィルム層や水蒸気その他のガスバリヤー層、遮光層、強度向上層などの中間層、シーラント層などは、それぞれ単独の層で形成してもよいが、複数の層を積層して形成してもよい。
【００５５】
前記基材フィルム層には、ポリエチレンテレフタレート（ＰＥＴ）、ポリエチレンナフタレートなどのポリエステルの二軸延伸フィルムのほか、ナイロン６、ナイロン６６、ＭＸＤ６（ポリメタキシリレンアジパミド）などのポリアミドの二軸延伸フィルム、そして、二軸延伸ポリプロピレンフィルム（ＯＰＰ）などを好適に使用することができる。
【００５６】
前記ガスバリヤー層としては、エチレン・酢酸ビニル共重合体ケン化物（ＥＶＯＨ）、ポリ塩化ビニリデン（ＰＶＤＣ）、ポリアクリロニトリル（ＰＡＮ）などのフィルム、或いは、シリカ、アルミナなどの蒸着層やＰＶＤＣの塗膜層を設けた二軸延伸ナイロンフィルム（ＯＮフィルム）、シリカ、アルミナなどの蒸着層を設けたポリエチレンテレフタレート（透明蒸着ＰＥＴ）、二軸延伸ポリエチレンテレフタレートフィルム（ＰＥＴフィルム）、二軸延伸ポリプロピレンフィルム（ＯＰＰフィルム）などを使用することができる。
【００５７】
前記強度向上層としては、前記基材フィルムのいずれかを適宜追加積層してもよく、二軸延伸高密度ポリエチレンフィルムなどを防湿層を兼ねて積層することもできる。
【００５８】
また、中間層に易引き裂き性の一軸延伸ポリプロピレンフィルム、一軸延伸高密度ポリエチレン、易引き裂き性二軸延伸ポリエステルフィルム（「エンブレット」ＰＣ（ＭＤ方向に易引き裂き性）、ユニチカ（株）製）などを、その延伸方向が袋を開封する際の引き裂き方向と一致するように積層することにより、易開封性手段として、引き裂きを容易にし、かつ、その方向性を安定化させることができる。
【００５９】
前記基材フィルム層とガスバリヤー層、強度向上層などの中間層との積層には、公知のドライラミネーション法または押し出しラミネーション法（サンドイッチラミネーション法）を用いることができる。
【００６０】
前記シーラント層には、低密度ポリエチレン（ＬＤＰＥ）、直鎖状低密度ポリエチレン（ＬＬＤＰＥ）のほか、エチレン・αオレフィン共重合体、エチレン・酢酸ビニル共重合体、エチレン・アクリル酸共重合体、エチレン・アクリル酸エステル共重合体・アイオノマー、ポリプロピレン（ＣＰＰ）、シリカ、アルミナなどの蒸着層を設けたポリプロピレン（透明蒸着ＣＰＰ）またはその共重合体などを使用することができる。
【００６１】
シーラント層の積層は、上記の樹脂をフィルム状に製膜し、ドライラミネーション法または押し出しラミネーション法で積層する方法、或いは、上記の樹脂を押し出しコートして積層する方法などを採ることができる。ただし、内容物がシーラント層に浸透しやすいものの場合は、ドライラミネーション法で積層することが好ましい。
【００６２】
このようなプラスチックを主体とする積層フィルムの具体例として代表的には次の層構成からなる包装材を挙げることができる。下記１）〜12）はドライラミネーション法による積層フィルムであり、各層は接着剤で貼り合わされる。ここで、下記１）〜12）の包装材は、各層をＰＥを介して押出しラミネーション法で積層してもよい。なお、（  ）内の値は各層の厚みを示す。
【００６３】
１）ＰＥＴ（12μｍ）／ＣＰＰ（30〜 150μｍ）
２）ＰＥＴ（12μｍ）／ＬＬＤＰＥ（30〜 150μｍ）
３）ＯＮＹ（15μｍ）／ＣＰＰ（30〜 150μｍ）
４）ＯＮＹ（15μｍ）／ＬＬＤＰＥ（30〜 150μｍ）
５）透明蒸着ＰＥＴ（12μｍ）／ＣＰＰ（30〜 150μｍ）
６）透明蒸着ＰＥＴ（12μｍ）／ＬＬＤＰＥ（30〜 150μｍ）
７）ＰＥＴ（12μｍ）／ＯＮＹ（15μｍ）／ＣＰＰ（30〜 150μｍ）
８）ＰＥＴ（12μｍ）／ＯＮＹ（15μｍ）／ＬＬＤＰＥ（30〜 150μｍ）
９）ＰＥＴ（12μｍ）／透明蒸着ＰＥＴ（12μｍ）／ＬＬＤＰＥ（30〜 150μｍ）
10）ＰＥＴ（12μｍ）／透明蒸着ＰＥＴ（12μｍ）／ＣＰＰ（30〜 150μｍ）
11）ＯＰＰ（20μｍ）／ＣＰＰ（30〜 150μｍ）
12）ＯＰＰ（20μｍ）／ＬＬＤＰＥ（30〜 150μｍ）
【符号の説明】
【００６４】
１０  電子レンジ用包装袋
１１，１１，１２  包装材
１３，１３Ａ  中間シール部
１４  サイドシール部
１５  開封用ノッチ
１６，１６Ａ  上辺シール部
２０  電子レンジ用包装袋
２１，２１Ａ，２１Ｂ，２１Ｃ，２２  包装材
２３，２３Ａ  中間シール部
２３ｎ  未シール部分
２４  サイドシール部
２５  開封用ノッチ
２６  底シール部
２７  上辺シール部
２８  ノッチ
３０  電子レンジ用包装袋
３１，３２Ａ，３２Ｂ  包装材
３３  中間シール部
３４，３５  包装材
３６  底シール部
３７  サイドシール部
３８  上辺シール部
Ｐ  突出片
Ｓ  スリーブ
ａ，ｂ  押し罫
ｆ  接着部
【図１】
0006048916.tif 000002
【図２】
0006048916.tif 000003
【図３】
0006048916.tif 000004
【図４】
0006048916.tif 000005
【図５】
0006048916.tif 000006
【図６】
0006048916.tif 000007
【図７】
0006048916.tif 000008
【図８】
0006048916.tif 000009
【図９】
0006048916.tif 000010
【図１０】
0006048916.tif 000011
【図１１】
0006048916.tif 000012
【図１２】
0006048916.tif 000013
【図１３】
0006048916.tif 000014
【図１４】
0006048916.tif 000015
【図１５】
0006048916.tif 000016
【図１６】
0006048916.tif 000017
【図１７】
0006048916.tif 000018
【図１８】
0006048916.tif 000019
【図１９】
0006048916.tif 000020
【図２０】
0006048916.tif 000021
【図２１】
0006048916.tif 000022
【図２２】
0006048916.tif 000023
【図２３】
0006048916.tif 000024
【図２４】
0006048916.tif 000025
【図２５】
0006048916.tif 000026
【図２６】
0006048916.tif 000027
【図２７】
0006048916.tif 000028
【図２８】
0006048916.tif 000029
【図２９】
0006048916.tif 000030
【図３０】
0006048916.tif 000031
【図３１】
0006048916.tif 000032
【図３２】
0006048916.tif 000033